【事件の表示】
　特願２００７−１６６９２１「データダウンロードシステム、記録装置、サーバ装置、及びデータダウンロード方法、記録方法」拒絶査定不服審判事件〔平成１９年１２月２０日出願公開、特開２００７−３２８９０４〕について、次のとおり審決する。
【結　論】
　本件審判の請求は、成り立たない。
【理　由】
第１　手続の経緯
　
　本願は、平成１４年６月１２日に出願した特願２００２−１７０９０１号の一部を平成１９年６月２５日に新たな特許出願としたものであって、平成２０年９月２日付けの拒絶理由通知に対する応答期間内の同年１１月１０日付けで手続補正がなされたが、同年１２月１日付けで拒絶査定がなされ、これに対し、平成２１年１月８日付けで拒絶査定不服審判が請求されるとともに、同年２月９日付けで手続補正がなされた。
　その後、平成２２年９月１０日付けで前置報告書を利用した審尋がなされたが、回答書は提出されなかったものである。
　
第２　平成２１年２月９日付けの手続補正についての補正却下の決定
　
［補正却下の決定の結論］
　平成２１年２月９日付けの手続補正を却下する。　
　
［理由］
１．本件補正
　平成２１年２月９日付けの手続補正（以下「本件補正」という。）による特許請求の範囲の補正については、補正前に、
「【請求項１】
　サーバ装置と記録装置とから構成されるデータダウンロードシステムであって、
　上記サーバ装置は、
　所定のネットワークを介して記録装置と接続する接続手段と、
　ダウンロード用データと上記ダウンロード用データをプログラム単位で管理する第１の管理情報とを記録媒体に格納する格納手段と、
　上記ネットワークを介して、所定のダウンロード用データのダウンロード要求を受信したときに、ダウンロード用データと当該ダウンロード用データに対応する上記第１の管理情報とを上記格納手段から読み出す読出手段と、
　上記読出手段により読み出されたダウンロード用データと第１の管理情報とを、上記接続手段を制御して上記記録装置に送信させる送信制御手段と
　を備え、
　上記記録装置は、
　データと上記データをプログラム単位で管理する第１の管理情報とが記録されるリムーバブル記憶媒体から、プログラム単位によるデータと上記第１の管理情報とを読み出す他の読出手段と、
　上記他の読出手段により読み出したプログラム単位のデータと上記第１の管理情報から生成され上記データを管理する第２の管理情報とを記録する記録手段と、
　上記サーバ装置に対して上記所定のネットワークを介して上記ダウンロード要求を送信する他の接続手段と、
　上記サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段により上記記録媒体に記録させる制御手段と
　を備えるデータダウンロードシステム。
　【請求項２】
　上記格納手段は、上記ダウンロード用データを識別する識別情報をさらに格納し、
　上記他の接続手段は、上記識別情報を上記ダウンロード要求として上記サーバ装置に送信し、
　上記送信制御手段は、受信した識別情報により識別される所定のダウンロード用データと当該ダウンロード用データに対応する上記第１の管理情報とを上記格納手段から読み出すことを特徴とする請求項１記載のデータダウンロードシステム。
　【請求項３】
　所定のネットワークを介して記録装置と接続する接続手段と、ダウンロード用データと上記ダウンロード用データをプログラム単位で管理する第１の管理情報とを記録媒体に格納する格納手段と、上記ネットワークを介して、所定のダウンロード用データのダウンロード要求を受信したときに、ダウンロード用データと当該ダウンロード用データに対応する上記第１の管理情報とを上記格納手段から読み出す読出手段と、上記読出手段により読み出されたダウンロード用データと第１の管理情報とを、上記接続手段を制御して上記記録装置に送信させる送信制御手段とを備えるサーバ装置と接続する接続手段と、
　データと上記データをプログラム単位で管理する第１の管理情報とが記録されるリムーバブル記憶媒体から、プログラム単位によるデータと上記第１の管理情報とを読み出す読出手段と、
　上記他の読出手段により読み出したプログラム単位のデータと上記第１の管理情報から生成され上記データを管理する第２の管理情報とを記録する記録手段と、
　上記サーバ装置に対して上記所定のネットワークを介して上記ダウンロード要求を送信する他の接続手段と、
　上記サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段により上記記録媒体に記録させる制御手段と
　を備える記録装置。
　【請求項４】
　所定のネットワークを介して記録装置と接続する接続手段と、
　ダウンロード用データと上記ダウンロード用データをプログラム単位で管理する第１の管理情報とを記録媒体に格納する格納手段と、
　上記ネットワークを介して、所定のダウンロード用データのダウンロード要求を受信したときに、ダウンロード用データと当該ダウンロード用データに対応する上記第１の管理情報とを上記格納手段から読み出す読出手段と、
　上記読出手段により読み出されたダウンロード用データと第１の管理情報とを、上記接続手段を制御して上記記録装置に送信させる送信制御手段と
　を備え、
　データと上記データをプログラム単位で管理する第１の管理情報とが記録されるリムーバブル記憶媒体から、プログラム単位によるデータと上記第１の管理情報とを読み出す他の読出手段と、上記他の読出手段により読み出したプログラム単位のデータと上記第１の管理情報から生成され上記データを管理する第２の管理情報とを記録する記録手段と、当該サーバ装置に対して上記所定のネットワークを介して上記ダウンロード要求を送信する他の接続手段と、当該サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段により上記記録媒体に記録させる制御手段を備える記録装置と接続手段によって接続されている
　サーバ装置。
　【請求項５】
　上記格納手段は、上記ダウンロード用データを識別する識別情報をさらに格納し、
　上記読出手段は、上記ネットワークを介して、所定の識別情報を受信した場合、当該識別情報により識別される所定のダウンロード用データと当該ダウンロード用データに対応する上記管理情報とを上記格納手段から読み出すことを特徴とする請求項４記載のサーバ装置。
　【請求項６】
　所定のネットワークを介して、データと上記データをプログラム単位で管理する第１の管理情報とが記録されるリムーバブル記憶媒体から、プログラム単位によるデータと上記第１の管理情報とを読み出す他の読出手段と、上記他の読出手段により読み出したプログラム単位のデータと上記第１の管理情報から生成され上記データを管理する第２の管理情報とを記録する記録手段、当該サーバ装置に対して上記所定のネットワークを介して上記ダウンロード要求を送信する他の接続手段と、当該サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段により上記記録媒体に記録させる制御手段を備える記録装置と接続手段によって接続されている記録装置と当該サーバ装置とを接続可能とされる接続手段を接続する接続ステップと、
　ダウンロード用データと上記ダウンロード用データをプログラム単位で管理する第１の管理情報とを記録媒体に格納する格納ステップと、
　上記ネットワークを介して、所定のダウンロード用データのダウンロード要求を受信したときに、ダウンロード用データと当該ダウンロード用データに対応する第１の管理情報とを上記格納手段から読み出す読出ステップと、
　上記読出ステップにより読み出されたダウンロード用データと第１の管理情報とを、上記接続手段を制御して上記記録装置に送信させる送信制御ステップと
　実行するデータダウンロード方法。
　【請求項７】
　上記格納ステップは、上記ダウンロード用データを識別する識別情報をさらに格納し、
　上記読出ステップは、上記ネットワークを介して、所定の識別情報を受信した場合、当該識別情報により識別される所定のダウンロード用データと当該ダウンロード用データに対応する上記管理情報とを上記格納ステップから読み出すことを特徴とする請求項６記載のデータダウンロード方法。
　【請求項８】
　所定のネットワークを介して記録装置と接続する接続手段と、ダウンロード用データと上記ダウンロード用データをプログラム単位で管理する第１の管理情報とを記録媒体に格納する格納手段と、上記ネットワークを介して、所定のダウンロード用データのダウンロード要求を受信したときに、ダウンロード用データと当該ダウンロード用データに対応する上記第１の管理情報とを上記格納手段から読み出す読出手段と、上記読出手段により読み出されたダウンロード用データと第１の管理情報とを、上記接続手段を制御して上記記録装置に送信させる送信制御手段とを備えるサーバ装置と接続する接続ステップと、
　データと上記データをプログラム単位で管理する第１の管理情報とが記録されるリムーバブル記憶媒体から、プログラム単位によるデータと上記第１の管理情報とを読み出す他の読出ステップと、
　上記他の読出ステップにより読み出したプログラム単位のデータと上記第１の管理情報から生成され上記データを管理する第２の管理情報とを記録する記録ステップと、
　上記サーバ装置に対して上記所定のネットワークを介して上記ダウンロード要求を送信する他の接続ステップと、
　上記サーバ装置から受信した上記第１の管理情報と上記第２の管理情報とを比較した結果、上記第１の管理情報が上記第２の管理情報と一致しなければ、上記記録ステップにおいて、上記第１の管理情報と上記第１の管理情報に対応するダウンロード用データとを、上記記録媒体に記録させる制御ステップと
　を備えることを特徴とする記録方法。」
　とあったところを、
　
「【請求項１】
　サーバ装置と記録装置とから構成されるデータダウンロードシステムであって、
　上記サーバ装置は、
　所定のネットワークを介して記録装置と接続する接続手段と、
　ダウンロード用データと上記ダウンロード用データをプログラム単位で管理する第１の管理情報とを記録媒体に格納する格納手段と、
　上記ネットワークを介して、所定のダウンロード用データのダウンロード要求を受信したときに、ダウンロード用データと当該ダウンロード用データに対応する上記第１の管理情報とを上記格納手段から読み出す読出手段と、
　上記読出手段により読み出されたダウンロード用データと第１の管理情報とを、上記接続手段を制御して上記記録装置に送信させる送信制御手段と
　を備え、
　上記記録装置は、
　データと上記データをプログラム単位で管理する第１の管理情報とが記録されるリムーバブル記憶媒体から、プログラム単位によるデータと上記第１の管理情報とを読み出す他の読出手段と、
　上記他の読出手段により読み出したプログラム単位のデータと上記第１の管理情報から生成され上記データを管理する第２の管理情報とを記録する記録手段と、
　上記サーバ装置に対して上記所定のネットワークを介して上記ダウンロード要求を送信する他の接続手段と、
　上記サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段
に
　を備えるデータダウンロードシステム。
　【請求項２】
　上記格納手段は、上記ダウンロード用データを識別する識別情報をさらに格納し、
　上記他の接続手段は、上記識別情報を上記ダウンロード要求として上記サーバ装置に送信し、
　上記送信制御手段は、受信した識別情報により識別される所定のダウンロード用データと当該ダウンロード用データに対応する上記第１の管理情報とを上記格納手段から読み出すことを特徴とする請求項１記載のデータダウンロードシステム。
　【請求項３】
　所定のネットワークを介して記録装置と接続する接続手段と、ダウンロード用データと上記ダウンロード用データをプログラム単位で管理する第１の管理情報とを記録媒体に格納する格納手段と、上記ネットワークを介して、所定のダウンロード用データのダウンロード要求を受信したときに、ダウンロード用データと当該ダウンロード用データに対応する上記第１の管理情報とを上記格納手段から読み出す読出手段と、上記読出手段により読み出されたダウンロード用データと第１の管理情報とを、上記接続手段を制御して上記記録装置に送信させる送信制御手段とを備えるサーバ装置と
上記所定のネットワークを介して
　データと上記データをプログラム単位で管理する第１の管理情報とが記録されるリムーバブル記憶媒体から、プログラム単位によるデータと上記第１の管理情報とを読み出す読出手段と、
　上記他の読出手段により読み出したプログラム単位のデータと上記第１の管理情報から生成され上記データを管理する第２の管理情報とを記録する記録手段と、
　上記サーバ装置に対して上記所定のネットワークを介して上記ダウンロード要求を送信する他の接続手段と、
　上記サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段
に
　を備える記録装置。
　【請求項４】
　所定のネットワークを介して記録装置と接続する接続手段と、
　ダウンロード用データと上記ダウンロード用データをプログラム単位で管理する第１の管理情報とを記録媒体に格納する格納手段と、
　上記ネットワークを介して、所定のダウンロード用データのダウンロード要求を受信したときに、ダウンロード用データと当該ダウンロード用データに対応する上記第１の管理情報とを上記格納手段から読み出す読出手段と、
　上記読出手段により読み出されたダウンロード用データと第１の管理情報とを、上記接続手段を制御して上記記録装置に送信させる送信制御手段と
　を備え、
　データと上記データをプログラム単位で管理する第１の管理情報とが記録されるリムーバブル記憶媒体から、プログラム単位によるデータと上記第１の管理情報とを読み出す他の読出手段と、上記他の読出手段により読み出したプログラム単位のデータと上記第１の管理情報から生成され上記データを管理する第２の管理情報とを記録する記録手段と、当該サーバ装置に対して上記所定のネットワークを介して上記ダウンロード要求を送信する他の接続手段と、当該サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段
に
上記所定のネットワークを介して
　サーバ装置。
　【請求項５】
　上記格納手段は、上記ダウンロード用データを識別する識別情報をさらに格納し、
　上記読出手段は、上記ネットワークを介して、所定の識別情報を受信した場合、当該識別情報により識別される所定のダウンロード用データと当該ダウンロード用データに対応する上記管理情報とを上記格納手段から読み出すことを特徴とする請求項４記載のサーバ装置。
　【請求項６】
　所定のネットワークを介して、データと上記データをプログラム単位で管理する第１の管理情報とが記録されるリムーバブル記憶媒体から、プログラム単位によるデータと上記第１の管理情報とを読み出す他の読出手段と、上記他の読出手段により読み出したプログラム単位のデータと上記第１の管理情報から生成され上記データを管理する第２の管理情報とを記録する記録手段、当該サーバ装置に対して上記所定のネットワークを介して上記ダウンロード要求を送信する他の接続手段と、当該サーバ装置から受信した上記第１の管理情報と上記第２の管理情報とを比較した結果、上記第１の管理情報が上記第２の管理情報と一致しなければ、上記記録手段を制御して、上記第１の管理情報と上記第１の管理情報に対応するダウンロード用データとを、上記記録手段
に
　ダウンロード用データと上記ダウンロード用データをプログラム単位で管理する第１の管理情報とを記録媒体に格納する格納ステップと、
　上記ネットワークを介して、所定のダウンロード用データのダウンロード要求を受信したときに、ダウンロード用データと当該ダウンロード用データに対応する第１の管理情報とを上記格納手段から読み出す読出ステップと、
　上記読出ステップにより読み出されたダウンロード用データと第１の管理情報とを、上記接続手段を制御して上記記録装置に送信させる送信制御ステップと
　実行するデータダウンロード方法。
　【請求項７】
　上記格納ステップは、上記ダウンロード用データを識別する識別情報をさらに格納し、
　上記読出ステップは、上記ネットワークを介して、所定の識別情報を受信した場合、当該識別情報により識別される所定のダウンロード用データと当該ダウンロード用データに対応する上記管理情報とを上記格納ステップから読み出すことを特徴とする請求項６記載のデータダウンロード方法。
　【請求項８】
　所定のネットワークを介して記録装置と接続する接続手段と、ダウンロード用データと上記ダウンロード用データをプログラム単位で管理する第１の管理情報とを記録媒体に格納する格納手段と、上記ネットワークを介して、所定のダウンロード用データのダウンロード要求を受信したときに、ダウンロード用データと当該ダウンロード用データに対応する上記第１の管理情報とを上記格納手段から読み出す読出手段と、上記読出手段により読み出されたダウンロード用データと第１の管理情報とを、上記接続手段を制御して上記記録装置に送信させる送信制御手段とを備えるサーバ装置と接続する接続ステップと、
　データと上記データをプログラム単位で管理する第１の管理情報とが記録されるリムーバブル記憶媒体から、プログラム単位によるデータと上記第１の管理情報とを読み出す他の読出ステップと、
　上記他の読出ステップにより読み出したプログラム単位のデータと上記第１の管理情報から生成され上記データを管理する第２の管理情報とを記録する記録ステップと、
　上記サーバ装置に対して上記所定のネットワークを介して上記ダウンロード要求を送信する他の接続ステップと、
　上記サーバ装置から受信した上記第１の管理情報と上記第２の管理情報とを比較した結果、上記第１の管理情報が上記第２の管理情報と一致しなければ、上記記録ステップにおいて、上記第１の管理情報と上記第１の管理情報に対応するダウンロード用データとを上記記録
手段
　を備えることを特徴とする記録方法。」
　とするものである。
　
　本件補正の具体的内容は、概略、本件補正前の請求項３，４において、「サーバ装置」と「記録装置」の接続について、「上記所定のネットワークを介して」と限定するものであり、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項４に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて以下検討する。
　
２．引用例、及びその記載事項
　
　原査定の拒絶の理由に引用された特開２００１−３５７４５２号公報（平成１３年１２月２６日公開、以下「引用例１」という。）には、図面と共に、以下の記載がある。（なお、下線は当審で付与した。）
　
（１）「【００１３】
情報センター２００には
楽曲データと、これに対応するリストデータを格納している
販売端末装置１００側からのアクセスに応じて通信を行うことで、上記したデータのうちから適宜必要とされるデータを各販売端末装置１００に対して送信し、アップロードする
【００１４】１−２．内部構成
続いて、販売端末装置１００及び情報センター２００の内部構成例について、図２のブロック図を参照して説明する。
先ず、販売端末装置１００から説明する
【００１５】
記憶部１０４は、比較的大容量のデータを記憶保持可能な記録媒体を備えて構成され、情報センターからダウンロードした楽曲データ及びそのリストデータが記憶保持される
　
（２）「【００１７】
通信部１１２は
情報の送信を行う場合には、送信データについて所要の処理を施して、通信網３００によって送受信可能な形式に変換して、目的の送信先に対して送信する
この通信部１１２に対する動作制御は、制御部１１３が実行する
　
（３）「【００２１】次に情報センター２００について説明する。
情報センター２００は、例えば図示するように記憶部２０１、通信部２０１、制御部２０３を備える
記憶部２０３には、当該情報センター２００と接続される各販売端末装置１００に対してアップロードすべき大容量のデータが格納されており、ここでは、それらのデータは、ベストテン楽曲リスト２１０、ベストテン楽曲データ２１１、提供可能楽曲リスト２１２、提供可能楽曲データ２１３とされる
【００２２】ベストテン楽曲リスト２１０としては、ヒットチャートのベストテンとして選択された１０の楽曲についてのリスト情報のデータから成る。これは例えば、１０の楽曲についてのタイトル、アーティスト名などの楽曲にまつわる所要の情報のほか、これらの１０の楽曲についての１位から１０位までの順位などの情報とされる。また、ベストテン楽曲データ２１１は、ベストテンとして選択された１０曲分の楽曲データから成る。従って、ベストテン楽曲リストとベストテン楽曲データ２１１は、対となるものである。」　
　
（４）「【００２６】また、この記憶部２１４には、上記したベストテン楽曲リスト２１０、ベストテン楽曲データ２１１、提供可能楽曲リスト２１２、提供可能楽曲データ２１３に対して検索を行うときに制御部２０３が利用するプログラムである、検索プログラム２１４が格納される。
【００２７】
通信部２０２は、通信網３００を介して各地に設置される販売端末装置１００と通信を行うために設けられ、例えば基本的には、販売端末装置１００の通信部１１２と同様の構成であればよいものとされる。制御部２０３は、いわゆるマイクロコンピュータ等を備えて構成され、情報センター２００としての所要の機能動作が得られるように適宜制御処理を実行する
　
（５）「【０１０９】先ず制御部１１３は、ステップＳ１０１としての処理によって、提供可能楽曲リスト２１２を
情報センター２００からダウンロードする。つまり、情報センター２００に対して提供可能楽曲リスト２１２を要求するコマンドを、通信部２１２を介して送信するものである。情報センター２００では、通信網３００と接続している通信部２０２を介して上記コマンドを受信する。そして、このコマンドに応じて、情報センター２００の制御部２０３は、記憶部２０１に記憶されている提供可能楽曲リスト２１２を読み出して、通信部２０２から送信出力させる
制御部１１３は、この提供可能楽曲リスト２１２を記憶部１０４に対して書き込んで、記憶保持させる
【０１１０】次のステップＳ１０２においては、
ベストテン楽曲リスト２１０、ベストテン楽曲データ２１１のダウンロードを行う。このための手順としては、上記ステップＳ１０１に準拠したものとなる。そして、情報センター２００側からダウンロードして取得したベストテン楽曲リスト２１０、ベストテン楽曲データ２１１を記憶部１０４に記憶させる
　
　上記摘示事項及び図面の記載を勘案し、本願補正発明の書きぶりに合わせて整理すると、引用例１には、次の発明（以下「引用発明」という。）が記載されているものと認める。
　　
「情報センターであって、
　通信網を介して販売端末装置と通信を行う通信部２０２と、
　楽曲データと楽曲リストとを記録媒体に格納する記憶部２０１と、
　通信網を介して楽曲データのダウンロード要求を受信して、記憶部２０１に記憶されている楽曲データと楽曲リストを読み出して、通信部２０２から上記販売端末装置に送信させる制御部２０３と
　を備え、
　上記情報センターに対して上記通信網を介して楽曲データのダウンロード要求を送信する通信部１１２と、上記情報センターからダウンロードした楽曲データと楽曲リストを記憶部１０４に記憶保持させる制御部１１３を備える販売端末装置と通信網を介して通信される情報センター。」　
　
　同じく、原査定の拒絶の理由に引用された特開２００１−１８９０４８号公報（平成１３年７月１０日公開、以下「引用例２」という。）には、図面と共に、以下の記載がある。
　
（６）「【０００９】
【課題を解決するための手段】この発明においては、例えば、デジタルデータと、このデジタルデータの検索情報とが記録されている媒体からそのデジタルデータを再生する再生手段と、この再生手段によって再生された上記デジタルデータが書き込まれるとともに、上記検索情報が管理テーブルに記録される記録手段と、上記再生手段からのデジタルデータを上記記録手段に書き込むとき、上記検索情報により上記管理テーブルを検索し、この検索の結果、上記検索情報が上記管理テーブルにないときには、上記媒体に記録されているデジタルデータの上記記録手段への書き込みを許可し、上記検索の結果、上記検索情報が上記管理テーブルにあるときは、上記媒体に記録されているデジタルデータの上記記録手段への書き込みを禁止するように制御する制御回路とを有する記録装置とするものである。したがって、既に内容を記録媒体にコピーした媒体は、記録装置に再度のコピーが禁止される。」　
　
（７）「【００１８】ここで、ＣＤ１０は、そのトラックに関する時間情報をＴＯＣに有しているとともに、このＴＯＣは一般にＣＤ１０ごとに異なる。そこで、このＴＯＣのデータがＣＤ１０を特定あるいは検索するためのデータとして使用されるものであり、そのＴＯＣのデータが「ＴＯＣデータ」のセルに検索情報として書き込まれる。」
　
（８）「【００３５】〔ＣＤからＨＤＤへの記録〕これは、ＣＤ１０におけるデジタルオーディオデータをデータ圧縮してＨＤＤ２４に蓄積あるいは書き込む場合である。
【００３６】すなわち、ＣＤドライブ装置２１にＣＤ１０をセットすると、上述のように、ＣＤ１０からＴＯＣのデータが読み出されて制御回路４１に保存され、その後、ステップ１０３において、キー入力待ちとなる。
【００３７】そして、今の場合は、〔ＣＤからＨＤＤへの記録〕なので、キー４２のうちのコピーキーを押すと、処理はステップ１０３からステップ１１１に進み、ステップ１０３で入力されたキーが判別される。
【００３８】すると、今の場合、コピーキーが押されたので、処理はステップ１１１からステップ１２１に進み、このステップ１２１において、ステップ１０２により読み出されたＴＯＣのデータを検索語として、管理テーブル２４Ｔの「ＴＯＣデータ」のセルのデータが検索される。
【００３９】そして、次にステップ１２２において、ステップ１２１の検索結果が判別され、ステップ１０２により読み出されたＴＯＣのデータが管理テーブル２４Ｔの「ＴＯＣデータ」のセルにないときには、処理はステップ１２２からステップ１２３に進み、このステップ１２３において、ＣＤ１０からＨＤＤ２４にコピーされる。
【００４０】すなわち、ＣＤドライブ装置２１によりＣＤ１０からデジタルオーディオデータが再生され、このデジタルオーディオデータが、ＣＤドライブ装置２１からバスライン２９を通じていったんメモリ２２に書き込まれるとともに、所定のタイミングでメモリ２２から読み出される。そして、この読み出されたデジタルオーディオデータが、バスライン２９を通じてエンコーダ回路２３に供給されてＡＴＲＡＣ処理によりデータ圧縮され、このデータ圧縮されたデジタルオーディオデータが、バスライン２９を通じてＨＤＤ２４に供給される。こうして、ＣＤ１０のデジタルオーディオデータはデータ圧縮された状態でＨＤＤ２４に書き込まれていく。
【００４１】また、このとき、コピーされたＣＤ１０およびトラック（ＣＤ１０におけるトラック）の情報が、ＨＤＤ２４の管理テーブル２４Ｔに登録される。すなわち、ＣＤ１０のコピーが第ｎ番目（ｎ＝１〜100のどれか）であれば、管理テーブル２４ＴのＣＤ番号＃ｎの欄の「ＴＯＣデータ」のセルに、ステップ１０２によりＣＤ１０から読み出して制御回路４１に保存したＴＯＣのデータが書き込まれる。また、ＣＤ１０のトラック数が、ＣＤ番号＃ｎの欄の「トラック数」のセルに書き込まれる。」
　　
３．対比
　
　そこで、本願補正発明と引用発明とを対比する。
　
（１）引用発明の「通信網」「販売端末装置」及び「通信部２０２」は、本願補正発明の「所定のネットワーク」「記録装置」及び「接続手段」にそれぞれ相当する。
（２）引用発明の「楽曲データ」「記録媒体」及び「記憶部２０１」は、本願補正発明の「ダウンロード用データ」「記録媒体」及び「格納手段」にそれぞれ相当し、そして、引用発明の「楽曲リスト」は、楽曲データに対応するものであり、プログラム単位で管理されることは明らかであるから、本願補正発明の「第１の管理情報」に相当する。
（３）引用発明は、「通信網を介して楽曲データのダウンロード要求を受信して、記憶部２０１に記憶されている楽曲データと楽曲リストを読み出」すものであるから、本願補正発明の「上記ネットワークを介して、所定のダウンロード用データのダウンロード要求を受信したときに、ダウンロード用データと当該ダウンロード用データに対応する上記第１の管理情報とを上記格納手段から読み出す読出手段」に相当する構成を備えている。
（４）引用発明の「制御部２０３」は、「楽曲データと楽曲リストを読み出して、通信部２０２から上記販売端末装置に送信させる」ものであるから、本願補正発明の「上記読出手段により読み出されたダウンロード用データと第１の管理情報とを、上記接続手段を制御して上記記録装置に送信させる」「送信制御手段」に相当する。
（５）引用発明の「記憶部１０４」は、「ダウンロードした楽曲データと楽曲リスト」を「記憶保持」するものであるから、本願補正発明の「プログラム単位のデータと上記第１の管理情報から生成され上記データを管理する第２の管理情報とを記録する」「記録手段」に相当する。
（６）引用発明の「通信部１１２」は、「情報センターに対して上記通信網を介して楽曲データのダウンロード要求を送信する」ものであるから、本願補正発明の「当該サーバ装置に対して上記所定のネットワークを介して上記ダウンロード要求を送信する」「他の接続手段」に相当する。
（７）引用発明の「制御部１１３」は、「情報センターからダウンロードした楽曲データと楽曲リストを記憶部１０４に記憶保持させる」ものであるから、本願補正発明の「上記記録手段を制御して、上記第１の管理情報と上記第１の管理情報に対応するダウンロード用データとを、上記記録手段に記録させる」「制御手段」に相当する。
（８）引用発明の「情報センター」は、本願補正発明の「サーバ装置」に相当する。　　　
　そうすると、本願補正発明と引用発明とは、次の点で一致する。
　
＜一致点＞
　「所定のネットワークを介して記録装置と接続する接続手段と、
　ダウンロード用データと上記ダウンロード用データをプログラム単位で管理する第１の管理情報とを記録媒体に格納する格納手段と、
　上記ネットワークを介して、所定のダウンロード用データのダウンロード要求を受信したときに、ダウンロード用データと当該ダウンロード用データに対応する上記第１の管理情報とを上記格納手段から読み出す読出手段と、
　上記読出手段により読み出されたダウンロード用データと第１の管理情報とを、上記接続手段を制御して上記記録装置に送信させる送信制御手段と
　を備え、
　プログラム単位のデータと上記第１の管理情報から生成され上記データを管理する第２の管理情報とを記録する記録手段と、当該サーバ装置に対して上記所定のネットワークを介して上記ダウンロード要求を送信する他の接続手段と、上記記録手段を制御して、上記第１の管理情報と上記第１の管理情報に対応するダウンロード用データとを、上記記録手段に記録させる制御手段を備える記録装置と上記所定のネットワークを介して接続手段によって接続されている
　サーバ装置。」
　
　そして、次の各点で相違する。
　
＜相違点＞
（ａ）「記録装置」について、本願補正発明は、「データと上記データをプログラム単位で管理する第１の管理情報とが記録されるリムーバブル記憶媒体から、プログラム単位によるデータと上記第１の管理情報とを読み出す他の読出手段」を備え、「上記他の読出手段により読み出したプログラム単位のデータと上記第１の管理情報から生成された上記データを管理する第２の管理情報とを記録」しているのに対し、引用発明は、リムーバブル記憶媒体から読み出されたプログラム単位のデータと第１の管理情報から生成された上記データを管理する第２の管理情報とを記録していない点。
　
（ｂ）「記録手段」の「制御」について、本願補正発明は、「当該サーバ装置から受信した上記第１の管理情報と上記第２の管理情報とを比較した結果、上記第１の管理情報が上記第２の管理情報と一致しなければ、上記第１の管理情報と上記第１の管理情報に対応するダウンロード用データとを、上記記録手段に記録させる」のに対し、引用発明は、情報センター（サーバ装置）から受信した第１の管理情報と第２の管理情報とを比較していない点。
　
４．判断
　
　そこで、上記相違点について検討する。
　
相違点（ａ）について
　データ記録装置に関して、引用発明及び本願補正発明と同一の技術分野に属する引用例２には、デジタルデータとこのデジタルデータの検索情報（ＴＯＣのデータ）とが記録されている媒体（ＣＤ）からそのデジタルデータを再生する再生手段と、この再生手段によって再生された上記デジタルデータが書き込まれるとともに上記検索情報が管理テーブルに記録される記録手段を有する記録装置が記載されている。
　そして、引用例２に記載の「デジタルデータ」「検索情報（ＴＯＣのデータ）」「媒体（ＣＤ）」「再生手段」「（管理テーブルに記録された）検索情報」及び「記録手段」は、本願補正発明の「データ」「第１の管理情報」「リムーバブル記憶媒体」「読出手段」「第２の管理情報」及び「記録手段」にそれぞれ相当している。
　そうすると、引用発明において、引用例２の上記記載事項を参照することにより「データと上記データをプログラム単位で管理する第１の管理情報とが記録されるリムーバブル記憶媒体から、プログラム単位によるデータと上記第１の管理情報とを読み出す他の読出手段」を備え、「上記他の読出手段により読み出したプログラム単位のデータと上記第１の管理情報から生成され上記データを管理する第２の管理情報とを記録する」ことは当業者が容易に想到できたものである。
　
相違点（ｂ）について
　引用例２には、さらに２重コピーを防止するために、デジタルデータを記録手段に書き込むとき、検索情報により管理テーブルを検索し、検索情報が管理テーブルにないときにはデジタルデータの記録手段への書き込みを許可する技術が記載されている。
　また、ダウンロードしたデータについても２重コピーを防止しようとすることは当業者において当然に考慮すべきことである。
　そうすると、引用発明において、引用例２の上記技術を適用することにより、「当該サーバ装置から受信した上記第１の管理情報と上記第２の管理情報とを比較した結果、上記第１の管理情報が上記第２の管理情報と一致しなければ、上記第１の管理情報と上記第１の管理情報に対応するダウンロード用データとを、上記記録手段に記録させる」ことは当業者が容易に想到できたものである。
　
　そして、上記相違点を総合的に判断しても、本願補正発明が奏する効果は引用例１及び２から当業者が十分に予測できたものであって格別なものとはいえない。
　
　したがって、本願補正発明は、引用例１及び２に記載された発明に基づいて当業者が容易に発明をすることができたものであるから、特許法第２９条第２項の規定により特許出願の際独立して特許を受けることができない。
　
５．本件補正についてのむすび
　
　以上のとおりであるから、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項において読み替えて準用する同法第５３条第１項の規定により却下すべきものである。
　
第３　本願発明について
　
１．本願発明
　
　平成２１年２月９日付けの手続補正は上記のとおり却下されたので、本願の請求項１ないし８に係る発明は、平成２０年１１月１０日付け手続補正書により補正された特許請求の範囲の請求項１ないし８に記載されたとおりのものと認められるところ、請求項４に係る発明（以下「本願発明」という。）は、上記「第２［理由］１．」に本願補正前の請求項４として記載したとおりのものである。
　
２．引用例、及びその記載事項
　
　原査定の拒絶の理由に引用された引用例、及びその記載事項は、上記「第２［理由］２．」に記載したとおりである。
　
３．対比・判断
　
　本願発明は、上記「第２［理由］１．」で検討した本願補正発明から、「上記ネットワークを介して」を削除したものである。
　そうすると、本願発明の構成要件を全て含み、さらに他の構成要件を付加したものに相当する本願補正発明が、上記「第２［理由］３．４．」に記載したとおり、引用例１及び２に記載された発明に基づいて、当業者が容易に発明をすることができたものであるから、本願発明も同様の理由により、引用例１及び２に記載された発明に基づいて、当業者が容易に発明をすることができたものである。
　
４．むすび
　
　以上のとおりであるから、本願の請求項４に係る発明は、特許法第２９条第２項の規定により特許を受けることができない。
　したがって、本願は、その余の請求項について論及するまでもなく拒絶すべきものである。
　よって、結論のとおり審決する。